(57)【要約】【課題】本発明は、上記の課題を解決するためになされたものであり、管理人又はメンテナンス員の移動コスト・時間コストがかからなくするために、動作アクチュエータに対する負荷を側圧の大きさにかかわらず一定にする施錠装置を提供することにある。【解決手段】第１の弾性手段（４１）の弾性力により施錠状態を解錠状態に変化させ、施錠対象を保持可能な保持部を有するラッチ（３０）を備えた施錠装置であって、電気的な作用により進退可能な第１の規制プレート（２３）を備えた動作アクチュエータ（２０）と、第１の規制プレートの規制解除により回転する回転プレート（５０）と、回転プレートの動作により進退可能であり、ラッチを施錠状態に保持する第２の規制プレート（６０）と、を備えたことを特徴とする。【選択図】図３
2020176433.tif 000002
【特許請求の範囲】
【請求項１】
第１の弾性手段の弾性力により施錠状態を解錠状態に変化させ、施錠対象を保持可能な保持部を有するラッチを備えた施錠装置であって、  
電気的な作用により進退可能な第１の規制プレートを備えた動作アクチュエータと、
前記第１の規制プレートの規制解除により回転する回転プレートと、
前記回転プレートの動作により進退可能であり、前記ラッチを施錠状態に保持する第２の規制プレートと、
を備えたことを特徴とする施錠装置。
【請求項２】
前記第２の規制プレートは、前記回転プレートが挿入され、前記回転プレートが移動可能な空間と、前記回転プレートを弾性力により弾性する第２の弾性手段と、を備え、
前記回転プレートは、前記第２の弾性手段により前記ラッチを解錠状態に変位するのを補助する補助手段を備えたことを特徴とする請求項１に記載の施錠装置。
【請求項３】
前記補助手段は、前記回転プレートに連結された第３の弾性手段と、前記第３の弾性手段と連結され、前記ラッチの施錠状態又は解錠状態と共に移動可能である移動シャフトと、を備えたことを特徴とする請求項２に記載の施錠装置。
【請求項４】
前記回転プレートが回転する軸と同じ軸に軸支され、前記ラッチを解錠状態に弾性する前記第３の弾性手段を備えたことを特徴とする請求項３に記載の施錠装置。
【請求項５】
前記第１の規制プレートが規制状態に変位しても、前記第１の弾性手段から前記第３の弾性手段の弾性力により解錠状態に回転移動することが可能な前記ラッチを備えたことを特徴とする請求項３及び請求項４の何れか一項に記載の施錠装置。
【請求項６】
前記第１の規制プレートが規制状態に変位しても、前記第１の弾性手段から前記第３の弾性手段の弾性力に逆らって、施錠状態に回転移動することが可能な前記ラッチを備えたことを特徴とする請求項３から請求項５の何れか一項に記載の施錠装置。
【発明の詳細な説明】
【技術分野】
【０００１】
本発明は、貴重品庫、金庫等のドアの施錠を電気的駆動源による開閉が可能な施錠装置に関するものである。
【背景技術】
【０００２】
従来から金庫や貴重品庫のドアの施錠を行う際に、ソレノイド等の電気駆動源により作動するタイプは、ソレノイドに電力を供給し、ソレノイドのＯＮ又はＯＦＦにより施錠装置の施錠のロック状態と開放状態の切替を行ってきた。ソレノイド本体に進退が可能なプランジャーを有する電磁ソレノイドとラッチレバーを備えリンク機構により開閉操作を制御する施錠装置が多々提案されてきている。
【０００３】
例えば、特許文献１の施錠装置は、縦方向と横方向とを有し、ソレノイド本体であるコイルに対して進退可能なプランジャーを有する電磁ソレノイドと、プランジャーの進退に応じて移動するレバー受け部と、回転軸を中心として旋回可能であって、かつ、レバー受け部に係合されるラッチレバーとを備えている。この施錠装置では、電磁ソレノイド、レバー受け部、及び回転軸が、縦方向において直線的に並んでいる発明である。
【先行技術文献】
【特許文献】
【０００４】
【特許文献１】特開２０１７−２１０７５１号公報
【発明の開示】
【発明が解決しようとする課題】
【０００５】
しかしながら、図１１に従来の施錠装置２１０が示されている。図１１に示すように、扉２に設けられている扉シャフト４が何らかの事情により図の右に引かれると、ラッチ２３０に右回転のトルクが加わり、結果的に連結されたソレノイド２２０の負荷にその力が加わり、その力がソレノイド２２０の動作推力Ｐ１以上になると解錠しなくなる。具体的には貴重品庫内に過量に物を入れて扉を閉めてロックした時、扉２が内容物に外側に押されている状態がある。このラッチ２３０に対する負荷を一般的には側圧Ｐ２という。
【０００６】
側圧Ｐ２がソレノイド２２０の動作推力Ｐ１の過負荷になってしまう理由は、ソレノイド２２０が解錠の直接的な役割を果たすため、ラッチ２３０の負荷を受ける部材とソレノイド２２０までが連結されている必要があり、そのため側圧Ｐ２がソレノイド鉄心２２２にまで伝わってしまうからである。側圧Ｐ２の伝達は、側圧Ｐ２がラッチ２３０を右回転させる。
【０００７】
次に、ディテントレバー２０２を右回転させる。それによりリンク２０１を右に引っ張り、ソレノイド鉄心２２２を右に引っ張るという側圧Ｐ２の伝達となる。電気駆動部品が解錠の役割を直接果たす場合は、図１０以外の構造であっても側圧により解錠しないという問題が必ず起こる。側圧による影響については、解錠しない場合、管理人又はメンテナンス員が呼ばれて、移動コスト・時間コストがかかるという問題があった。
【０００８】
本発明は、上記の課題を解決するためになされたものであり、管理人又はメンテナンス員の移動コスト・時間コストがかからなくするために、動作アクチュエータに対する負荷を側圧の大きさにかかわらず一定にする施錠装置を提供することにある。
【課題を解決するための手段】
【０００９】
第１の弾性手段の弾性力により施錠状態を解錠状態に変化させ、施錠対象を保持可能な保持部を有するラッチを備えた施錠装置であって、  
電気的な作用により進退可能な第１の規制プレートを備えた動作アクチュエータと、
前記第１の規制プレートの規制解除により回転する回転プレートと、
前記回転プレートの動作により進退可能であり、前記ラッチを施錠状態に保持する第２の規制プレートと、を備えたことを特徴とする。
【発明の効果】
【００１０】
以上の特徴によって、側圧が直接動作アクチュエータに影響がないようにすることが可能であり、動作アクチュエータに対する負荷を側圧の大きさにかかわらず、動作アクチュエータの動作力以下で、しかも掛かる負荷を一定にすることができる。
【図面の簡単な説明】
【００１１】
【図１】実施形態の施錠装置と施錠の対象となる扉の様子を示す概念図である。
【図２】実施形態の施錠装置の斜視図である。
【図３】実施形態の施錠装置の構成の一部を示す斜視図である。
【図４】実施形態の施錠装置の構成の一部を示す正面図である。
【図５】実施形態の施錠装置の作用を示す概要図である。
【図６】実施形態の施錠装置の作用を示す概要図である。
【図７】実施形態の施錠装置の作用を示す概要図である。
【図８】実施形態の施錠装置の作用を示す概要図である。
【図９】実施形態の施錠装置の作用を示す概要図である。
【図１０】他の実施形態の施錠装置の構成の一部を示す正面図である。
【図１１】従来の施錠装置の動作を示す作用の概要図である。
【発明を実施するための形態】
【００１２】
本発明にかかる施錠装置について、図面を参照しつつ詳細に説明する。尚、以下に説明する実施形態及び図面は、本発明の実施形態の一部を例示するものであり、これらの構成に限定する目的に使用されるものではなく、本発明の要旨を逸脱しない範囲において適宜変更することができる。
【００１３】
（実施例１）
図１から図９を参照し、実施形態の施錠装置１０について構成及び作用を以下に説明する。先ず、図１から図４を参照し実施形態の施錠装置１０の構成について説明する。図１は、実施形態の施錠装置１０と施錠の対象となる扉２との様子を示す概念図である。図２は、実施形態の施錠装置１０の斜視図である。図３は実施形態の施錠装置１０の構成の一部を示す斜視図である。図４は、実施形態の施錠装置１０が施錠した状態の構成の一部を示す正面図である。
【００１４】
図１に示すように貴重品金庫の扉２は、２つのシャフト支持部３に把持される棒状の扉シャフト４が設けられており、扉シャフト４が施錠装置１０のラッチ３０に保持されることにより扉２は施錠状態となる。尚、ラッチ３０が保持する形状は、限定する必要は無く扉シャフト４のようなシャフト形状の他に、長孔又は四角孔の空いた金具にラッチ３０の先端等を引っ掛けて施錠を保持する構造であっても良い。
図１又は図２に示すように、施錠装置１０は、２枚の筐体プレート１１、１２があり、その筐体プレート１１、１２に挟み込まれた内部に施錠装置１０の機構が内蔵されている。
【００１５】
次に、図３又は図４を参照し施錠装置１０の内蔵される機構の構造について説明する。先ず、施錠装置１０は、扉シャフト４を保持するラッチ３０が設けられている。ラッチ３０は、長孔となる円弧状に延びた空間であるシャフト保持部３２により棒状の扉シャフト４（図１）を保持する。ラッチ３０は、中心附近に円状の貫通孔に円柱状の回転シャフト７１が貫通しており、ラッチ３０は、この回転シャフト７１を軸にし回転駆動する。ラッチ３０は、回転シャフト７１を中心にシャフト保持部３２と対称の位置に、先端が円弧状となり突出した突形状部３３が設けられている。
【００１６】
また、ラッチ３０は、シャフト保持部３２に対して９０°の方向に延び、後述するロックプレート６０に当接するロックプレート当接部３４が設けられている。突形状部３３からロックプレート当接部３４に向かって直線状に延びており、回転シャフト７２を誘導する誘導部３７を備えている。
【００１７】
ラッチ３０は、ラッチ３０と同じ回転シャフト７１に支持されており、ラッチ３０を右回転(解錠)させる役割をするダブルトーションバネであるラッチトーションバネ４１を設けている。また、ラッチトーションバネ４１は、一方をシャフト保持部３２に円弧状の切欠きが設けられたトーションバネ引掛け部３５により掛かり、他方を筐体プレート１１、１２に跨がる筐体水平部１５に掛かっている。
【００１８】
次に、ロックプレート６０について説明する。ロックプレート６０は、平板形状をしており、後述する回転プレート５０を差し入れる貫通した四角形状の貫通四角孔６１が空いている。貫通四角孔６１は、回転プレート５０と密着することなく、回転プレート５０よりも長さに対して大きく形成し、貫通四角孔６１の空間を備えている。この貫通四角孔６１の空間により静荷重力ではなく、ロックプレートスプリング４３の弾性力による衝撃荷重力を利用し、ラッチ３０の回転移動をよりスムーズにしている。本発明の構造での衝撃荷重力は、瞬間的ではあるが静荷重よりも大きな推力を得ることができるため、解錠する動作において、ロックプレート６０に掛かる側圧に十分に打ち勝つことができ、この推力を有効に活用し解錠することができる。
【００１９】
ロックプレート６０は、筐体プレート１１、１２の側方に両方向へ突出したスライド突出部６２が設けられ、２枚の筐体プレート１１、１２の四角形状のスライド孔１３（図１又は図２に示す）に沿って水平方向に移動可能である。
【００２０】
また、ロックプレート６０は、図の左側よりロックプレートスプリング４３を差し入れることが可能な形状をしている。ロックプレートスプリング４３は、押しコイルバネであり、圧縮されると図の右方向に水平移動する力を持つ。また、ロックプレートスプリング４３は、回転プレート５０が回転移動すると圧縮されてロックプレート６０を右にスライドさせる役目を果たす。ロックプレート６０は、ラッチ３０と異なる動作ベクトルを持つことによってラッチ３０の回転運動を阻害する役割を果たす。
【００２１】
次に、回転プレート５０は、平板形状をしており回転シャフト７３に軸支され回転運動をする。回転プレート５０は、回転シャフト７３と水平方向に延びた先端の一部を切り欠き、ソレノイドプレート２３と嵌合するソレノイド嵌合部５２を備えている。また、回転プレート５０は、ラッチ３０方向に延びた円弧状突出部５１を備え、ラッチ３０の突形状部３３とぶつかる。
【００２２】
回転プレート５０は、後述する回転トーションバネ４２が圧縮された時に左回転のトルクを持つ。回転プレート５０は、ソレノイドプレート２３によって左回転の動作を制限される。また、回転プレート５０は、自身の回転力が無くなる時点でラッチ３０の突形状部３３に打ち付けられて右回転する。
【００２３】
回転プレート５０は、右回転する時にロックプレートスプリング４３を圧縮してロックプレート６０を右移動させる役割を果たす。回転プレート５０は、ソレノイドプレート２３による制限が無くなると左回転しロックプレート６０にぶつかり、ロックプレート６０を左方向にスライド移動させる役割を果たす。また、回転プレート５０が回転移動すると圧縮されてロックプレート６０を右にスライドさせる役目を果たす。
【００２４】
次に、回転トーションバネ４２は、ダブルトーションバネとなっており、一つの弦巻を回転シャフト７３に支持されて、もう一つの弦巻は回転シャフト７２に支持され、回転プレート５０を左回転する役割を果たす。
回転シャフト７２、７３は、円柱状を成し回転トーションバネ４２の２つの弦巻に嵌められている。回転シャフト７２は、２枚の筐体プレート１１、１２に設けられた円弧状のスライド孔１６（図１又は図２に示す）に沿って移動し、施錠時のラッチ３０の左回転によってラッチ３０と接触し左側に押されて回転トーションバネ４２を圧縮する役割を果たす。
【００２５】
次に、ソレノイドプレート２３は、平板形状をしておりソレノイド鉄心２２と連結している。また、ソレノイドプレート２３は、筐体プレート１１、１２の側方に両方向へ突出したスライド突出部２４が設けられ、２枚の筐体プレート１１、１２の四角形状のスライド孔１４（図１又は図２に示す）に沿って水平方向に移動可能である。ソレノイドプレート２３は、ソレノイドスプリング４４によって図の右にスライド移動する力を持つ。ソレノイドプレート２３は、右に移動している時に回転プレート５０の回転動作を止める役割を果たす。
【００２６】
次に、ソレノイドスプリング４４は、無励磁の時にソレノイド鉄心２２を電磁ソレノイド２１より突出させる役割をする押しコイルバネである。ソレノイドスプリング４４のバネ力は、電磁ソレノイド２１の動作時推力以下だが、無励磁にはソレノイド鉄心２２を突出させて、ソレノイドプレート２３を移動させる力を持つ。
【００２７】
次に、図５から図９を参照し実施形態の施錠装置１０の作用について説明する。図５から図９は、実施形態の施錠装置１０の作用を示す概要図である。図５（Ａ）に示すように電磁ソレノイド２１に通電すると、矢印方向Ｐに動作して連結しているソレノイドプレート２３も左にスライド移動して、回転プレート５０のソレノイド嵌合部５２との嵌合が外れて、回転プレート５０はフリーの状態となり、左回転（Ｑ）して、ロックプレート６０に衝撃荷重力を伴って貫通四角孔６１の端(図３のＡ)にぶつかる。
【００２８】
また、図５（Ｂ）に示すように、回転プレート５０は、電磁ソレノイド２１が通電ＯＦＦの矢印方向Ｐに力が掛かる状態になってもソレノイドプレート２３を通り過ぎているため、回転動作を制限されない。つまり、通電ＯＦＦでも施錠装置１０としては解錠状態にある。このように、通電ＯＦＦでも施錠装置１０としては解錠状態にあることによって、電気錠が側圧に勝てなかったとしても、手で扉２（図１）を外から押して開くことが可能であり、解錠できなかったというトラブルを回避することが可能である。
【００２９】
もし何らかの扉２（図１）からの力が掛かり、図６に示すように側圧が回転プレート５０の左回転（Ｑ）するトルク以下であるならロックプレート６０は左方向（Ｔ）に移動してラッチ３０はフリーの状態となり、右回転（Ｓ）、つまり解錠する。
【００３０】
次に、側圧が勝っていた場合でも、側圧が低減して回転プレート５０のトルク力の方が勝れば、やはりロックプレート６０が左方向に移動してラッチ３０はフリーとなる。
尚、ラッチ３０が右回転（Ｓ）すると、押されていた回転シャフト７２が右回転(Ｕ）し、回転トーションバネ４２が自由角度となり、回転プレート５０は回転トルクが無くなる。回転プレート５０の回転トルクが無くなった時点で解錠方向に回転途中であったラッチ３０の突形状部３３が回転プレート５０の円弧状突出部５１とぶつかる。
【００３１】
次に、図７に示すようにラッチ３０が回転し続けると（Ｓ）、解錠を完成するが、もし、ラッチ３０が完全に回転しなくても半開きである扉２（図１）を手動で開くことによってラッチ３０が回転し（Ｓ）、完全な解錠状態となる。
【００３２】
尚、ラッチ３０の完全解錠までの動きによって、回転プレート５０が押されて右回転（Ｑ）をするが、その動きによって、ソレノイドプレート２３はソレノイドスプリング４４により右方向（Ｐ）に力が掛かっており、ソレノイドプレート２３を押しのけ、ロックプレート６０もロックプレートスプリング４３を介して押され、右（Ｔ）に移動することによって、各部が施錠する時の準備状態の位置に納まる。
【００３３】
次に、図８に示すように扉２（図１）を閉め始めると、ラッチ３０も左回転（Ｓ）し始め、回転シャフト７２にぶつかり左回転（Ｕ）させ始める。つまり回転トーションバネ４２を圧縮し始めて、回転プレート５０に左回りの力を与え始める。ただし、回転プレート５０は、その回転方向に対して直行する位置と直行する動作変位を持つソレノイドプレート２３によって回転は制限されている。
【００３４】
次に、図９に示すように、更にラッチ３０が右方向（Ｓ）に回転すると、回転トーションバネ４２を更に圧縮するように左回転し（Ｕ）、ロックプレート６０を左方向（Ｔ）に押しのけると、図４に示すように施錠装置１０の施錠状態となる。
【００３５】
（実施例２）
図１０を参照し、他の実施形態の施錠装置１１０について構成を以下に説明する。同じ構成の箇所には同じ符号を付し、構成が同じであるため説明は省略する。尚、上述した実施例１と作用は変わらないため、作用についても説明を省略する。図１０は、解錠状態の施錠装置１１０の構成の一部を示す正面図である。
【００３６】
ラッチ１３０は、シャフト保持部３２に対して９０°の方向に延び、ロックプレート１６０に当接するロックプレート当接部３４が設けられている。ラッチ１３０は、ラッチ１３０と同じ回転シャフト７１に支持されており、ラッチ１３０を右回転(解錠)させる役割をする２つのラッチトーションバネ４１を設けている。
【００３７】
また、ラッチトーションバネ４１は、一方をシャフト保持部３２に円弧状の切欠きが設けられたトーションバネ引掛け部３５により掛かり、他方を筐体プレート１１、１２に軸支されるシャフト７５に掛かっている。
【００３８】
ラッチ１３０は、この回転シャフト７１を軸にし、回転駆動する。ラッチ１３０は、回転シャフト７１を中心にシャフト保持部３２と対称の位置に、先端が円弧状となり突出した突形状部３３が設けられている。ラッチ１３０は、ロックプレート１６０に当接するロックプレート当接部３４が設けられている。突形状部３３からロックプレート当接部３４に向かって直線状に延びており、回転シャフト７２を誘導する誘導部３７を備えている。
【００３９】
回転プレート１５０は、突形状部３３が当接し滑らかに作動するために円弧状の円弧誘導部１５５を備えている。回転プレート１５０は、円弧誘導部１５５から水平に延びた後、円弧状に形成し、回転シャフト７３と水平方向に延びた先端の一部を切り欠き、ソレノイドプレート１２３と嵌合するソレノイド嵌合部５２を備えている。
【００４０】
ロックプレート１６０について説明する。ロックプレート１６０は、平板形状をしており回転プレート１５０を差し入れる貫通した四角形状の上述した貫通四角孔６１（図３）の他に、強制作動レバー８０を差し入れる貫通した四角形状の図示しない貫通四角孔が空いている。強制作動レバー８０は、手動により水平方向に作動させることにより強制的に解錠又は施錠を操作することが可能である。
【００４１】
ソレノイドプレート１２３は、Ｌ字状に下方まで延びており、左右に移動することが可能であり、電磁ソレノイド２１の通電がＯＦＦ状態の時にはマイクロスイッチ５に当接していない。マイクロスイッチ５は、電磁ソレノイド２１の通電がＯＮとなると、更にソレノイドプレート１２３が左に移動し、ソレノイドプレート１２３がマイクロスイッチ５に当接し、マイクロスイッチ５をＯＮ状態にする。また、ラッチ１３０の下方にもマイクロスイッチ６が設けられているが、施錠状態の際、ラッチ１３０の突形状部３３がマイクロスイッチ６に当接し、マイクロスイッチ６をＯＮ状態にする。
【００４２】
以上により、マイクロスイッチ５、６が各部の位置や施錠若しくは解錠状態を検知することができ状態把握や電子制御に使用することが可能である。
また、ソレノイド２０の下方には、マイクロスイッチ５、６及びソレノイド２０を制御するために接続するコネクタ７が設けられている。
【００４３】
尚、上述した実施例１及び実施例２では、動作アクチュエータをソレノイド２０で説明したが、モータ駆動又は形状記憶合金等の電気的作用により位置を変位できる動作アクチュエータであれば良い。また、ラッチトーションバネ４１、回転トーションバネ４２、ロックプレートスプリング４３、ソレノイドスプリング４４は金属バネを使用したが、ゴムや樹脂等の弾性手段であっても良く、またスプリング形状以外の弾性力を有する弾性手段であれば良い。
【００４４】
（技術的特徴）
以下に本実施形態の技術的特徴点の一例を括弧内に示すが、特に限定するものでもなく例示しているものであり、これら特徴から考えられる効果についても記載する。
【００４５】
＜第１の特徴点＞
第１の弾性手段（例えば、主にラッチトーションバネ４１）の弾性力により施錠状態を解錠状態に変化させ、施錠対象を保持可能な保持部を有するラッチ（例えば、主にラッチ３０、１３０）を備えた施錠装置であって、  
電気的な作用により進退可能な第１の規制プレート（例えば、主にソレノイドプレート２３、１２３）を備えた動作アクチュエータ（例えば、主にソレノイド２０）と、
前記第１の規制プレートの規制解除により回転する回転プレート（例えば、主に回転プレート５０、１５０）と、
前記回転プレートの動作により進退可能であり、前記ラッチを施錠状態に保持する第２の規制プレート（例えば、主にロックプレート６０、１６０）と、を備えたことを特徴とする。
【００４６】
以上の特徴によって、側圧が直接動作アクチュエータに影響がないようにすることが可能であり、動作アクチュエータに対する負荷を側圧の大きさにかかわらず、動作アクチュエータの動作力以下で、しかも掛かる負荷も一定にすることができる。
【００４７】
＜第２の特徴点＞
前記第２の規制プレートは、前記回転プレートが挿入され、前記回転プレートが移動可能な空間（例えば、主に貫通四角孔６１）と、前記回転プレートを弾性力により弾性する第２の弾性手段（例えば、主にロックプレートスプリング４３）と、を備え、
前記回転プレートは、前記第２の弾性手段により前記ラッチを解錠状態に変位するのを補助する補助手段（例えば、主に回転トーションバネ４２、回転シャフト７２）を備えたことを特徴とする。
【００４８】
以上の特徴によって、 解錠の力を最大限活かすために、回転プレートと第２の規制プレートを密接させずに空間を設けることにより、静荷重力ではなく、第２の弾性手段の弾性力による衝撃荷重力を利用し、ラッチの回転移動をよりスムーズにしている。
【００４９】
＜第３の特徴点＞
前記補助手段は、前記回転プレートに連結された第３の弾性手段（例えば、主に回転トーションバネ４２）と、前記第３の弾性手段と連結され、前記ラッチの施錠状態又は解錠状態と共に移動可能である移動シャフト（例えば、主に回転シャフト７２）と、を備えたことを特徴とする。
【００５０】
以上の特徴によって、解錠の力を最大限活かすために、前記した衝撃荷重力も加わると同時に第３の弾性手段の弾性力によりラッチの回転移動をよりスムーズにしている。
【００５１】
＜第４の特徴点＞
前記回転プレートが回転する軸と同じ軸（例えば、主に回転シャフト７３）に軸支され、前記ラッチを解錠状態に弾性する前記第３の弾性手段を備えたことを特徴とする。
【００５２】
以上の特徴によって、解錠の力を最大限活かすために、前記した衝撃荷重力も加わると同時に第３の弾性手段の弾性力によりラッチの回転移動をよりスムーズにしている。また、前記回転プレートが回転する軸と同じ軸に軸支されることにより、スペースも僅かなスペースで構成できる。
【００５３】
＜第５の特徴点＞
前記第１の規制プレートが規制状態に変位しても、前記第１の弾性手段から前記第３の弾性手段の弾性力により解錠状態に回転移動することが可能な前記ラッチを備えたことを特徴とする。
【００５４】
以上の特徴によって、第１の規制プレートが規制状態に変位しても、ラッチの解錠時の回転トルクを利用して解錠の準備状態にする構造を持たせることが可能である。そのため、側圧に打ち勝てなかったとしても、手で扉を解錠状態の方向に力を掛けることができるため、手動での解錠の操作が可能である。
【００５５】
＜第６の特徴点＞
前記第１の規制プレートが規制状態に変位しても、前記第１の弾性手段から前記第３の弾性手段の弾性力に逆らって、施錠状態に回転移動することが可能な前記ラッチを備えたことを特徴とする。
【００５６】
以上の特徴によって、第１の規制プレートが規制状態に変位しても、ラッチの解錠時の回転トルクを利用して施錠の準備状態にする構造を持たせることが可能であるので、手で扉を施錠状態の方向に力を掛けることができるため、手動での施錠の操作が可能である。
【産業上の利用可能性】
【００５７】
本発明の施錠装置について貴重品庫を例にして説明したが、自動車用、建築用のドア等の一般的に施錠される部分に使用することが可能である。
【符号の説明】
【００５８】
２  扉
３  シャフト支持部
４  扉シャフト
５、６  マイクロスイッチ
７  コネクタ
１０、１１０、２１０  施錠装置
１１、１２  筐体プレート
１３、１４、１６  スライド孔
１５  筐体水平部
２０、２２０  ソレノイド
２１  電磁ソレノイド
２２、２２２  ソレノイド鉄心
２３、１２３  ソレノイドプレート
２４  スライド突出部
３０、１３０、２３０  ラッチ
３２  シャフト保持部 
３３  突形状部
３４  ロックプレート当接部
３５  トーションバネ引掛け部
３７  誘導部
４１  ラッチトーションバネ
４２  回転トーションバネ
４３  ロックプレートスプリング
４４  ソレノイドスプリング
５０、１５０  回転プレート
５１  円弧状突出部
５２  ソレノイド嵌合部
６０、１６０  ロックプレート
６１  貫通四角孔
６２  スライド突出部
７１、７２、７３、  回転シャフト
７５  シャフト
８０  強制作動レバー
１５５  円弧誘導部
２０２  ディテントレバー。
【図１】
2020176433.tif 000003
【図２】
2020176433.tif 000004
【図３】
2020176433.tif 000005
【図４】
2020176433.tif 000006
【図５】
2020176433.tif 000007
【図６】
2020176433.tif 000008
【図７】
2020176433.tif 000009
【図８】
2020176433.tif 000010
【図９】
2020176433.tif 000011
【図１０】
2020176433.tif 000012
【図１１】
2020176433.tif 000013